(57)【要約】【課題】複数台のエレベータがバンク分けされたシステムにおいて、ビルの竣工後に各バンク間でアンバランス状態が生じた場合に、全階床サービス可能なエレベータを簡単に切り替えて、そのアンバランス状態を解消して効率的に運転サービスを行う。【解決手段】低層中継用ハブ装置１８と高層中継用ハブ装置１９の電源をＯＮ／ＯＦＦすることで、全階床サービス可能なエレベータ１１ｇを低層用群管理制御装置１３または高層用群管理制御装置１４に接続する。これにより、ビルの竣工後に各バンク間でアンバランス状態が生じた場合に、エレベータ１１ｇを簡単に切り替えて、そのアンバランス状態を解消して効率的に運転サービスを行うことができる。【選択図】      図１
2009091069.tif 000002
【特許請求の範囲】
【請求項１】
複数台のエレベータがサービスエリアの異なる少なくとも２つのバンクに分けて管理されたエレベータの群管理システムにおいて、
上記各バンク毎にそれぞれの管理下にある各エレベータを群管理制御する複数の群管理制御手段と、
上記各バンクに対応した各エレベータとは別に設けられた全階床サービス可能なエレベータと、
上記各群管理制御手段のそれぞれに対応して設けられ、電源がＯＮされたときに、上記全階床サービス可能なエレベータを上記各群管理制御手段の中の該当する群管理制御手段に接続するように構成された複数のハブ手段と
を具備したことを特徴とするエレベータの群管理システム。
【請求項２】
上記各バンクの需要状態を評価するための評価値を比較し、その中で最も評価値の高いバンクに上記全階床サービス可能なエレベータを使用するように上記各ハブ手段の電源をＯＮ／ＯＦＦ制御する需要比較制御手段を具備したことを特徴とする請求項１記載のエレベータの群管理システム。
【請求項３】
上記需要比較制御手段は、上記各バンクの評価値の差が所定値以上となった場合に、その中で最も評価値の高いバンクに上記全階床サービス可能なエレベータを使用するように上記各ハブ手段の電源をＯＮ／ＯＦＦ制御することを特徴とする請求項２記載のエレベータの群管理システム。
【請求項４】
上記各バンクの需要状態を評価するための評価値を所定単位で統計したデータを記憶する記憶手段を備え、
上記需要比較制御手段は、上記記憶手段に記憶された統計データに基づいて上記各ハブ手段の電源をＯＮ／ＯＦＦ制御することを特徴とする請求項１記載のエレベータの群管理システム。
【請求項５】
管理者が操作可能な場所に、上記各ハブ手段の電源をＯＮ／ＯＦＦするための複数のスイッチ手段を設けたことを特徴とする請求項１記載のエレベータの群管理システム。
【発明の詳細な説明】
【技術分野】
【０００１】
本発明は、複数台のエレベータを有するエレベータの群管理システムに係り、特に各エレベータがサービスエリアの異なる各バンクに分けて群管理制御されたエレベータの群管理システムに関する。
【背景技術】
【０００２】
一般に事務所ビルにエレベータを設置する場合、使用用途、利用人数などビル内の交通需要、交通流（人の流れ）を計算し、エレベータの設置台数を決定する。特に、高階床ビルの場合、待ち時間を少なくするために、エレベータのサービスエリアを低層エリアと高層エリアに分割した構成をとることが多い。
【０００３】
例えば、４０階建てのビルにおいて、１Ｆ〜２０Ｆまでの低層エリアには１号機〜６号機のエレベータが応答し、１Ｆ及び２０Ｆ〜４０Ｆまでの高層エリアには７号機〜１２号機のエレベータが応答するといったものである。この場合、予めエレベータ設備が低層エリア用と高層エリア用に分割されているため、１〜６号機のエレベータが２１Ｆ〜４０Ｆに応答することや、７〜１２号機のエレベータが２〜１９Ｆに応答することは物理的に不可能である。
【０００４】
一方、１つのバンク内において、ビルの交通需要に応じてエレベータのサービスエリアを分割し、複数台のエレベータを各エリア毎に分割運転する方法が知られている（例えば、特許文献１参照）。これによれば、集中する交通需要を解消して、輸送能力の向上を図ることができ、ビルによっては出勤時、昼食時の混雑を緩和することができる。
【特許文献１】特許第３５５１６１８号公報
【発明の開示】
【発明が解決しようとする課題】
【０００５】
上記特許文献１では、１つのバンクの中でサービスエリアを任意に分けて各エレベータを分割運転するものであり、各エレベータは物理的には全ての階床に応答できる。
【０００６】
しかしながら、予めエレベータ設備が低層用と高層用にバンク分けされたエレベータの群管理システムでは、各エレベータのサービスエリアが各バンクによって固定化されているため、他のバンク内の階床には応答できない。このため、ビル竣工後に、例えばテナントの変更や様々な変更要素によりエレベータ計画時と異なった交通需要に変化すると、一方のバンクでは平均待ち時間が２０秒程度、他方のバンクでは平均待ち時間が４０秒程度といったように、ビル内で待ち時間のアンバランス状態が生じてしまう可能性がある。この場合、平均待ち時間が少ないバンクのエレベータを平均待ち時間が長いバンク用に使用したいが、バンク分けされたシステムでは物理的に不可能である。
【０００７】
また、このようなビル全体のアンバランス状態を改善する方法として、予め物理的に全階床サービス可能なエレベータを１台設置しておき、交通需要の状況に応じて、どちらかのバンクに切り替えて使用する方法が考えられる。
【０００８】
しかしながら、上記切替えを実現するためには、低層用エレベータ、高層用エレベータ、全階床サービス可能なエレベータのそれぞれを一つの群管理制御装置で制御するのが一般的である。この場合、群管理制御装置で制御可能なエレベータ台数に制約があるため、エレベータ台数が多い場合には実現が困難であり、群管理制御装置の大幅な改造が必要となる。
【０００９】
そこで、本発明の目的は、複数台のエレベータがバンク分けされたシステムにおいて、ビルの竣工後に各バンク間でアンバランス状態が生じた場合に、全階床サービス可能なエレベータを簡単に切り替えることができ、そのアンバランス状態を解消して効率的に運転サービスを行うことのできるエレベータの群管理システムを提供することにある。
【課題を解決するための手段】
【００１０】
本発明は、複数台のエレベータがサービスエリアの異なる少なくとも２つのバンクに分けて管理されたエレベータの群管理システムにおいて、上記各バンク毎にそれぞれの管理下にある各エレベータを群管理制御する複数の群管理制御手段と、上記各バンクに対応した各エレベータとは別に設けられた全階床サービス可能なエレベータと、上記各群管理制御手段のそれぞれに対応して設けられ、電源がＯＮされたときに、上記全階床サービス可能なエレベータを上記各群管理制御手段の中の該当する群管理制御手段に接続するように構成された複数のハブ手段とを具備したことを特徴とする。
【発明の効果】
【００１１】
本発明によれば、ハブ電源をＯＮ／ＯＦＦするだけで、各バンクに対応した各エレベータとは別に設けられた全階床サービス可能なエレベータを各バンク間で適宜切り替えて使用することができる。これにより、複数台のエレベータがバンク分けされたシステムにおいて、ビルの竣工後に各バンク間でアンバランス状態が生じた場合に、そのアンバランス状態を解消して効率的に運転サービスを行うことができる。
【発明を実施するための最良の形態】
【００１２】
以下、図面を参照して本発明の実施形態を説明する。
【００１３】
（第１の実施形態）
図１は本発明の第１の実施形態に係るエレベータの群管理システムの全体構成を示すブロック図である。ここでは、１Ｆ〜４０Ｆの階床を有するビルに１３台のエレベータが並設されて場合を想定して説明する。なお、ここで言う「エレベータ」とは、基本的には「乗りかご」のことを示す。
【００１４】
図中の１０は各階のホール（乗場）に設けられたホール呼び登録ボタンである。各階のホールにおいて、このホール呼び登録ボタン１０を押下すると、各エレベータの中の最適なエレベータが当該階のホール呼びに応答する。なお、各階のホールに設置されたホール呼び登録ボタン１０の操作によって登録された呼びのことを「ホール呼び」と言う。これに対し、乗りかご内の行先階指定ボタンの操作により登録された呼びのことを「かご呼び」と言う。
【００１５】
ここで、本実施形態では、図２に示すように、１つのビルの中に基準階である１Ｆと低層階床（２Ｆ〜２０Ｆ）をサービスする６台のエレベータ１１ａ〜１１ｆと、基準階である１Ｆと高層階床（２０Ｆ〜４０Ｆ）をサービスする６台のエレベータ１１ｈ〜１１ｍと、全階床（１Ｆ〜４０Ｆ）をサービス可能なエレベータ１１ｇが設置されている。
【００１６】
低層用のエレベータ１１ａ〜１１ｆはバンクＡ（低層用バンク）に属し、２０Ｆより上の階には応答不可である。また、高層用のエレベータ１１ｈ〜１１ｍはバンクＢ（高層用バンク）に属し、２Ｆ〜１９Ｆの階には応答不可である。また、基準階である１Ｆと、低層と高層の境界に当たる２０Ｆには低層用のエレベータ１１ａ〜１１ｆと高層用のエレベータ１１ｈ〜１１ｍが共通にサービス運転する。
【００１７】
エレベータ１１ｇは、バンクＡ，Ｂの各エレベータ１１ａ〜１１ｆ，１１ｈ〜１１ｍとは別に設けられており、バンクＡ，Ｂの両方を含めた全階床を自由に運転サービス可能である。
【００１８】
図１に示すように、エレベータの群管理制御システム１２には、バンクＡ内のエレベータ１１ａ〜１１ｆの群管理制御を行う低層用群管理制御装置１３と、バンクＢ内のエレベータ１１ｈ〜１１ｍの群管理制御を行う高層用群管理制御装置１４とが設けられている。
【００１９】
さらに、この群管理制御システム１２には、かご制御装置２０ａ〜２０ｆと低層用群管理制御装置１３との間でエレベータ状態情報や割当指令情報等の伝送を行うための低層用ハブ装置１５と、かご制御装置２０ｈ〜２０ｍと高層用群管理制御装置１４との間でエレベータ状態情報や割当指令情報等の伝送を行うための高層用ハブ装置１６と、かご制御装置２０ｇと他のハブ装置との間のデータ伝送を行うための共用ハブ装置１７と、低層用ハブ装置１５と共用ハブ装置１７との間のデータ伝送を行うための低層中継用ハブ装置１８と、高層用ハブ装置１６と共用ハブ装置１７との間のデータ伝送を行うための高層中継用ハブ装置１９とが設けられている。
【００２０】
なお、低層用群管理制御装置１３と高層用群管理制御装置１４は、それぞれコンピュータによって構成される。低層用群管理制御装置１３はバンクＡ側に設けられたコンピュータ、高層用群管理制御装置１４はバンクＢ側に設けられたコンピュータによって実現される。
【００２１】
低層用群管理制御装置１３は、バンクＡ内の各階のホール呼びに対し、低層用ハブ装置１５を介して受信した各エレベータ１１ａ〜１１ｆの状態情報に基づいて、それぞれの評価値を算出し、評価値が最も良好な低層用エレベータに割当信号を出力する。割当指令データは、低層用ハブ装置１５を介してかご制御装置２０ａ〜２０ｆの中の指令先のかご制御装置に送信される。
【００２２】
高層用群管理制御装置１４は、バンクＢ内の各階のホール呼びに対し、高層用ハブ装置１６を介して受信した各エレベータ１１ｈ〜１１ｍの状態情報に基づいて、それぞれの評価値を算出し、評価値が最も良好な低層用エレベータに割当信号を出力する。割当指令データは、高層用ハブ装置１６を介してかご制御装置２０ｈ〜２０ｍの中の指令先のかご制御装置に送信される。
【００２３】
低層中継用ハブ装置１８は、全階床サービス可能なエレベータ１１ｇを低層用として使用する場合、エレベータ１１ｇを低層用群管理制御装置１３に接続し、このエレベータ１１ｇの状態情報を低層用ハブ装置１５経由で低層用群管理制御装置１３に送信し、低層用群管理制御装置１３からの制御指令（割当指令含む）を共用ハブ装置１７経由でエレベータ１１ｇに送信することになる。
【００２４】
高層中継用ハブ装置１９は、全階床サービス可能なエレベータ１１ｇを高層用として使用する場合、エレベータ１１ｇを高層用群管理制御装置１４に接続し、このエレベータ１１ｇの状態情報を高層用ハブ装置１６経由で高層用群管理制御装置１４に送信し、高層用群管理制御装置１４からの制御指令（割当指令含む）を共用ハブ装置１７経由でエレベータ１１ｇに送信することになる。
【００２５】
このような構成において、全階床サービス可能なエレベータ１１ｇの切替えは、低層中継用ハブ装置１８の電源と高層中継用ハブ装置１９の電源をＯＮ／ＯＦＦ制御することによって簡単に行うことができる。
【００２６】
すなわち、低層中継用ハブ装置１８の電源をＯＮ、高層中継用ハブ装置１９の電源をＯＦＦとすれば、エレベータ１１ｇは、図３に示すように、低層用のエレベータとして運行する。また、低層中継用ハブ装置１８の電源をＯＦＦ、高層中継用ハブ装置１９の電源をＯＮとすれば、エレベータ１１ｇは、図４に示すように、高層用のエレベータとして運行する。
【００２７】
具体的には、低層中継用ハブ装置１８の電源スイッチ２１と高層中継用ハブ装置１９の電源スイッチ２２をエレベータの管理種が操作可能な場所（例えば監視盤）に設置しておく。管理者は、バンクＡとバンクＢの需要や待ち時間などを比較し、全階床サービス可能なエレベータ１１ｇをどちらのバンクとして使用すべきかを判断して、使用するバンク側の電源スイッチをＯＮすれば良い。
【００２８】
例えば、バンクＡの需要が高い場合には、電源スイッチ２１をＯＮし、電源スイッチ２２をＯＦＦする。これにより、低層用群管理制御装置１３の管理下にエレベータ１１ｇが加えられることになり、エレベータ１１ｇは低層用として使用されることになる。その間、高層用群管理制御装置１４とエレベータ１１ｇとは電気的に遮断された状態にあるので、高層用群管理制御装置１４では、エレベータ１１ｇの状態に関係なく、エレベータ１１ｈ〜１１ｍの運行制御を行うことができる。
【００２９】
また、バンクＢの需要が高い場合には、電源スイッチ２１をＯＦＦし、電源スイッチ２２をＯＮする。これにより、高層用群管理制御装置１４の管理下にエレベータ１１ｇが加えられることになり、エレベータ１１ｇは高層用として使用されることになる。その間、低層用群管理制御装置１３とエレベータ１１ｇとは電気的に遮断された状態にあるので、低層用群管理制御装置１３では、エレベータ１１ｇの状態に関係なく、エレベータ１１ａ〜１１ｆの運行制御を行うことができる。
【００３０】
なお、エレベータ１１ｇが現在どちらのバンク用として運行しているかを利用者に分からせるために、各階のホールに停止可能階表示灯等を設置することが望ましい。
【００３１】
このように、本発明の第１の実施形態によれば、ビル竣工後にテナントの変更等によって、低層バンクと高層バンクとでエレベータの需要にアンバランス状態が発生した場合に、ハブ装置の電源をＯＮ／ＯＦＦするだけで、全階床サービス可能なエレベータを高需要バンク側に簡単に切り替えることができ、そのアンバランス状態を解消して、効率的な運転サービスを行うことができる。
【００３２】
（第２の実施形態）
次に、本発明の第２の実施形態について説明する。  
上記第１の実施形態では、管理者がハブ装置の電源をＯＮ／ＯＦＦ操作することで、全階床サービス可能なエレベータの切替えを行う構成としたが、第２の実施形態では、低層用バンクと高層用バンクの需要状態に応じて自動的に切り替えることを特徴とする。
【００３３】
図５は本発明の第２の実施形態に係るエレベータの群管理システムの全体構成を示すブロック図である。なお、図５において、上記第１の実施形態における図１の構成と同じ部分には同一符号を付して説明する。
【００３４】
図５に示すように、エレベータの群管理制御システム１２には、バンクＡ内のエレベータ１１ａ〜１１ｆの群管理制御を行う低層用群管理制御装置１３と、バンクＢ内のエレベータ１１ｈ〜１１ｍの群管理制御を行う高層用群管理制御装置１４と、需要比較制御部２３とが設けられている。
【００３５】
さらに、この群管理制御システム１２には、かご制御装置２０ａ〜２０ｆと低層用群管理制御装置１３との間でエレベータ状態情報や割当指令情報等の伝送を行うための低層用ハブ装置１５と、かご制御装置２０ｈ〜２０ｍと高層用群管理制御装置１４との間でエレベータ状態情報や割当指令情報等の伝送を行うための高層用ハブ装置１６と、かご制御装置２０ｇと他のハブ装置との間のデータ伝送を行うための共用ハブ装置１７と、低層用ハブ装置１５と共用ハブ装置１７との間のデータ伝送を行うための低層中継用ハブ装置１８と、高層用ハブ装置１６と共用ハブ装置１７との間のデータ伝送を行うための高層中継用ハブ装置１９とが設けられている。
【００３６】
なお、低層用群管理制御装置１３、高層用群管理制御装置１４、需要比較制御部２３は、それぞれコンピュータによって構成される。低層用群管理制御装置１３はバンクＡ側に設けられたコンピュータ、高層用群管理制御装置１４はバンクＢ側に設けられたコンピュータによって実現される。需要比較制御部２３は、バンクＡとバンクＢとの間に設けられたコンピュータによって実現される。
【００３７】
低層用群管理制御装置１３は、バンクＡ内の各階のホール呼びに対し、低層用ハブ装置１５を介して受信した各エレベータ１１ａ〜１１ｆの状態情報に基づいて、それぞれの評価値を算出し、評価値が最も良好な低層用エレベータに割当信号を出力する。割当指令データは、低層用ハブ装置１５を介してかご制御装置２０ａ〜２０ｆの中の指令先のかご制御装置に送信される。
【００３８】
高層用群管理制御装置１４は、バンクＢ内の各階のホール呼びに対し、高層用ハブ装置１６を介して受信した各エレベータ１１ｈ〜１１ｍの状態情報に基づいて、それぞれの評価値を算出し、評価値が最も良好な低層用エレベータに割当信号を出力する。割当指令データは、高層用ハブ装置１６を介してかご制御装置２０ｈ〜２０ｍの中の指令先のかご制御装置に送信される。
【００３９】
低層中継用ハブ装置１８は、全階床サービス可能なエレベータ１１ｇを低層用として使用する場合、エレベータ１１ｇの状態情報を低層用ハブ装置１５経由で低層用群管理制御装置１３に送信し、低層用群管理制御装置１３からの制御指令（割当指令含む）を共用ハブ装置１７経由でエレベータ１１ｇに送信することになる。
【００４０】
高層中継用ハブ装置１９は、全階床サービス可能なエレベータ１１ｇを高層用として使用する場合、エレベータ１１ｇの状態情報を高層用ハブ装置１６経由で高層用群管理制御装置１４に送信し、高層用群管理制御装置１４からの制御指令（割当指令含む）を共用ハブ装置１７経由でエレベータ１１ｇに送信することになる。
【００４１】
このような構成において、需要比較制御部２３は、バンクＡの群管理評価値とバンクＢの群管理評価値とを比較し、その評価値に応じて低層中継用ハブ装置１８または高層中継用ハブ装置１９の電源をＯＮする。
【００４２】
すなわち、需要比較制御部２３は、低層用群管理制御装置１３と高層用群管理制御装置１４からバンクＡとバンクＢの群管理評価値を取得し、両者を定期的（例えば１分間隔毎）に比較する。群管理評価値とは、例えば過去５分間で計測した各階床の未応答時間の平均値（以下、平均未応答時間と称す）である。
【００４３】
そして、需要比較制御部２３は、この平均未応答時間の大きいバンク側の中継ハブ装置の電源をＯＮ、小さいバンク側の中継ハブ装置の電源をＯＦＦする。これにより、全階床サービス可能なエレベータ１１ｇが平均未応答時間の大きいバンク側に切り替えられることになる。
【００４４】
なお、エレベータ１１ｇの切替えが頻繁（数分単位）に実施されると、利用者が困惑することになってしまうため、バンクＡとバンクＢの平均未応答時間の差が所定時間以上（例えば１０秒以上）となった場合にのみ切替えを実行するものとする。
【００４５】
例えば、エレベータ１１ｇが低層用として使用されている状況で、両バンクの平均未応答時間が以下のようであったとする。
【００４６】
バンクＡの平均未応答時間Ｔ１＝１５秒
バンクＢの平均未応答時間Ｔ２＝１７秒
この場合、Ｔ２−Ｔ１＜１０秒であるので、エレベータ１１ｇの切替えは行われず、エレベータ１１ｇはそのまま低層用としての運行を継続することになる。
【００４７】
一方、両バンクの平均未応答時間が以下のようになったとする。
【００４８】
低層用バンクの平均未応答時間Ｔ１＝１５秒
高層用バンクの平均未応答時間Ｔ２＝２７秒
この場合、Ｔ２−Ｔ１＞１０秒となるので、エレベータ１１ｇの切替えが行われる。つまり、需要比較制御部２３が低層中継用ハブ装置１８の電源をＯＦＦ、高層中継用ハブ装置１９の電源をＯＮすることにより、エレベータ１１ｇを高層バンク用に切り替えることになる。
【００４９】
なお、エレベータ１１ｇが現在どちらのバンク用として運行しているかを利用者に分からせるために、各階のホールに停止可能階表示灯等を設置することが望ましい。
【００５０】
このように、本発明の第２の実施形態によれば、低層バンクと高層バンクとでエレベータの需要にアンバランス状態が発生した場合に、管理者等による手動操作を必要とせずに、全階床サービス可能なエレベータを高需要バンク側に簡単に切り替えることができ、そのアンバランス状態を解消して効率的な運転サービスを行うことができる。
【００５１】
（第３の実施形態）
次に、本発明の第３の実施形態について説明する。  
上記第２の実施形態では、需要のアンバランス状態が生じてから全階床サービス可能なエレベータの切替えを行うようにしたが、第３の実施形態では、過去の統計データに基づいて事前に切り替えておくことを特徴とする。
【００５２】
図６は本発明の第３の実施形態に係るエレベータの群管理システムの全体構成を示すブロック図である。なお、図６において、上記第１の実施形態における図１の構成と同じ部分には同一符号を付して説明する。
【００５３】
図６に示すように、エレベータの群管理制御システム１２には、バンクＡ内のエレベータ１１ａ〜１１ｆの群管理制御を行う低層用群管理制御装置１３と、バンクＢ内のエレベータ１１ｈ〜１１ｍの群管理制御を行う高層用群管理制御装置１４と、統計データ記憶部２４と、需要比較制御部２５とが設けられている。
【００５４】
さらに、この群管理制御システム１２には、かご制御装置２０ａ〜２０ｆと低層用群管理制御装置１３との間でエレベータ状態情報や割当指令情報等の伝送を行うための低層用ハブ装置１５と、かご制御装置２０ｈ〜２０ｍと高層用群管理制御装置１４との間でエレベータ状態情報や割当指令情報等の伝送を行うための高層用ハブ装置１６と、かご制御装置２０ｇと他のハブ装置との間のデータ伝送を行うための共用ハブ装置１７と、低層用ハブ装置１５と共用ハブ装置１７との間のデータ伝送を行うための低層中継用ハブ装置１８と、高層用ハブ装置１６と共用ハブ装置１７との間のデータ伝送を行うための高層中継用ハブ装置１９とが設けられている。
【００５５】
なお、低層用群管理制御装置１３、高層用群管理制御装置１４、需要比較制御部２５は、それぞれコンピュータによって構成される。低層用群管理制御装置１３はバンクＡ側に設けられたコンピュータ、高層用群管理制御装置１４はバンクＢ側に設けられたコンピュータによって実現される。需要比較制御部２５は、バンクＡとバンクＢとの間に設けられたコンピュータによって実現される。
【００５６】
低層用群管理制御装置１３は、バンクＡ内の各階のホール呼びに対し、低層用ハブ装置１５を介して受信した各エレベータ１１ａ〜１１ｆの状態情報に基づいて、それぞれの評価値を算出し、評価値が最も良好な低層用エレベータに割当信号を出力する。割当指令データは、低層用ハブ装置１５を介してかご制御装置２０ａ〜２０ｆの中の指令先のかご制御装置に送信される。
【００５７】
高層用群管理制御装置１４は、バンクＢ内の各階のホール呼びに対し、高層用ハブ装置１６を介して受信した各エレベータ１１ｈ〜１１ｍの状態情報に基づいて、それぞれの評価値を算出し、評価値が最も良好な低層用エレベータに割当信号を出力する。割当指令データは、高層用ハブ装置１６を介してかご制御装置２０ｈ〜２０ｍの中の指令先のかご制御装置に送信される。
【００５８】
低層中継用ハブ装置１８は、全階床サービス可能なエレベータ１１ｇを低層用として使用する場合、エレベータ１１ｇの状態情報を低層用ハブ装置１５経由で低層用群管理制御装置１３に送信し、低層用群管理制御装置１３からの制御指令（割当指令含む）を共用ハブ装置１７経由でエレベータ１１ｇに送信することになる。
【００５９】
高層中継用ハブ装置１９は、全階床サービス可能なエレベータ１１ｇを高層用として使用する場合、エレベータ１１ｇの状態情報を高層用ハブ装置１６経由で高層用群管理制御装置１４に送信し、高層用群管理制御装置１４からの制御指令（割当指令含む）を共用ハブ装置１７経由でエレベータ１１ｇに送信することになる。
【００６０】
このような構成において、需要比較制御部２５は、低層用群管理制御装置１３からバンクＡの群管理評価値を取得すると共に、高層用群管理制御装置１４からバンクＢの群管理評価値を取得し、これらを曜日単位、時間単位で統計したデータをデータ記憶部２４に逐次格納していく。上述したように、群管理評価値とは、例えば過去５分間で計測した各階床の未応答時間の平均値（平均未応答時間）である。
【００６１】
そして、需要比較制御部２５は、この統計データ記憶部２４に記憶された統計データに基づいて、需要の高いバンクを判断し、低層中継用ハブ装置１８または高層中継用ハブ装置１９の電源をＯＮする。
【００６２】
例えば、統計データ記憶部２４に記憶された統計データが以下のような内容であったとする。
【００６３】
月曜日：８：３０〜９：００の統計データ
Ａバンクの平均待ち時間＝３０秒
Ｂバンクの平均待ち時間＝２０秒
火曜日：１２：００〜１２：３０の統計データ
Ａバンクの平均待ち時間＝２５秒
Ｂバンクの平均待ち時間＝４０秒。
【００６４】
このような場合、需要比較制御部２５は、月曜日の８：３０〜９：００にはエレベータ１１ｇを低層用、火曜日の１２：００〜１２：３０にはエレベータ１１ｇを高層用として使用することが最適であると判断する。そして、最適であると判断したバンク側の中継ハブ装置の電源をＯＮ、他方のバンク側の中継ハブ装置の電源をＯＦＦすることにより、エレベータ１１ｇの切替えを行う。
【００６５】
すなわち、エレベータ１１ｇを高層用として使用する場合には、高層中継用ハブ装置１９の電源をＯＮし、低層中継用ハブ装置１８の電源をＯＦＦする。また、エレベータ１１ｇを低層用として使用する場合には、低層中継用ハブ装置１８の電源をＯＮし、高層中継用ハブ装置１９の電源をＯＦＦする。
【００６６】
このように、過去の統計データに基づいてエレベータ１１ｇを需要の高いバンク側に事前に切り替えておくことで、アンバランス状態を抑制して、より効率的な運転サービスを行うことができる。
【００６７】
なお、エレベータ１１ｇが現在どちらのバンク用として運行しているかを利用者に分からせるために、各階のホールに停止可能階表示灯等を設置することが望ましい。
【００６８】
このように、本発明の第３の実施形態によれば、低層バンクと高層バンクの需要の統計データを元に、全階床サービス可能なエレベータを高需要が予測されるバンク側に切り替えておくことで、アンバランス状態を解消して効率的な運転サービスを行うことが可能となる。
【００６９】
なお、上記各実施形態では、低層バンクと高層バンクの２分割されたシステムを想定して説明したが、バンク分けの構成はこれに限るものではなく、例えば低層、中層、高層といったように、３分割された構成であっても良い。
【００７０】
また、各バンク内のエレベータとは別に設けられた全階床サービス可能なエレベータは１台に限らず、２台以上あっても良い。
【００７１】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００７２】
【図１】図１は本発明の第１の実施形態に係るエレベータの群管理システムの全体構成を示すブロック図である。
【図２】図２は同実施形態におけるエレベータの群管理システムのバンク構成の一例を示す図である。
【図３】図３は同実施形態における全階床サービス可能なエレベータを低層用に切り替えた場合の状態を示す図である。
【図４】図４は同実施形態における全階床サービス可能なエレベータを高層用に切り替えた場合の状態を示す図である。
【図５】図５は本発明の第２の実施形態に係るエレベータの群管理システムの全体構成を示すブロック図である。
【図６】図６は本発明の第３の実施形態に係るエレベータの群管理システムの全体構成を示すブロック図である。
【符号の説明】
【００７３】
１０…ホール呼び登録ボタン、１１ａ〜１１ｆ…バンクＡ（低層バンク）のエレベータ、１１ｇ…全階床サービス可能なエレベータ、１１ｈ〜１１ｍ…バンクＢ（高層バンク）のエレベータ、１２…群管理制御システム、１３…低層用群管理制御装置、１４…高層用群管理制御装置、１５…低層用ハブ装置、１６…高層用ハブ装置、１７…共用ハブ装置、１８…低層中継用ハブ装置、１９…高層中継用ハブ装置、２０ａ〜２０ｆ，２０ｇ，２０ｈ〜２０ｍ…かご制御装置、２１…低層中継用ハブ装置の電源スイッチ、２２…高層中継用ハブ装置の電源スイッチ、２３…需要比較制御部、２４…統計データ記憶部、２５…需要比較制御部。
【図１】
2009091069.tif 000003
【図２】
2009091069.tif 000004
【図３】
2009091069.tif 000005
【図４】
2009091069.tif 000006
【図５】
2009091069.tif 000007
【図６】
2009091069.tif 000008